(57)【要約】　　　（修正有）【課題】コンピュータパネルのスロットカバーの提供。【解決手段】コンピュータケースの正面パネル１０のスロット１１を閉じるのに用いられるスロットカバー２０にあって、スロットカバーの後側の係止装置２１がＵ形の湾曲係止棒に形成され、その末端がスロットカバー正面に延伸され、使用者がこの延伸された末端を操作してスロットカバーをパネルの正面より取り外したり取り付けることができ、コンピュータ周辺設備の取り付けと取り出しに便利とされている。【選択図】図１
0003100187.tif 000002
【実用新案登録請求の範囲】
【請求項１】
　コンピュータケースの正面に組み付けられ、スロットを具え、並びにスロットの内側壁に相互に対応する凹溝が形成されたパネルと、
　長方形の板体とされ、背面両側に後ろ向きに延伸された係止装置が設けられて該係止装置がパネルの凹溝と相互に係合することによりパネルに位置決めされる少なくとも一つのスロットカバーと、
　を具え、該スロットカバーの少なくとも一つの係止装置が弾性を具備し、且つ末端がスロットカバーの正面に延伸され、上記末端の操作によりスロットカバーがパネル正面より直接着脱可能とされたことを特徴とする、コンピュータパネルのスロットカバー。
【請求項２】
　請求項１記載のコンピュータパネルのスロットカバーにおいて、スロットカバーの背面両側より後ろ向きに延伸された係止装置が第１の係止装置と第２の係止装置とされ、該第１の係止装置がスロットカバーの背面側縁より湾曲したＵ形のの係止棒とされ、その末端がスロットカバーの正面に延伸され、該係止棒の外側に半矢頭状の凸体が形成されてパネルの凹溝との係合に供されることを特徴とする、コンピュータパネルのスロットカバー。
【請求項３】
　請求項２記載のコンピュータパネルのスロットカバーにおいて、第２の係止装置がスロットカバーの背面の別の一側より後方に延伸され、その外側に半矢頭状の凸体が形成されてパネルの凹溝との係合に供されることを特徴とする、コンピュータパネルのスロットカバー。
【考案の詳細な説明】
【技術分野】
【０００１】
　本考案は一種のコンピュータパネルのスロットカバーに係り、特に、コンピュータの正面パネルにあって直接取り付け取り外しできるスロットカバーに関する。
【背景技術】
【０００２】
　デスクトップ型コンピュータはいずれもパネル上に複数のスロットカバーが設けられ、これらのスロットカバーの後方に空間が形成され、ハードディスク、ＣＤドライブ及びポータブルハードディスクの取り付けに供される。
【０００３】
　コンピュータ産業の発展はめざましく、読み書き速度、ハードディスク容量をグレードアップするため、常々周辺設備の交換が行なわれる。このような周辺設備は取り外された後、スロットカバーをパネルに戻して灰塵や異物のケース内への進入を防止しなければならない。特にポータブルハードディスクを使用する時は、随時コンピュータより抜き取るため、スロットカバーをパネルに取り付ける機会が増す。
【０００４】
　周知のスロットカバーはパネルのスロット周縁に組み合わされ、半矢頭状の係止部と凹溝構造の組合せにより、スロットカバーがパネルのスロットに組み付けられる。半矢頭状の係止部或いは凹溝のいずれがスロットカバーの背面両側に設けられても、スロットカバーをパネル正面から取り外すことはできず、パネルをコンピュータケースから取り外すか、或いは全体のコンピュータケースを分解してスロットカバーをパネル背面より取り外さなければならない。このためポータブルハードディスクを使用している場合等、常時スロットカバーを着脱する必要がある場合は、使用者にとって非常に不便である。このためスロットカバーの着脱に便利な構造を提供して、使用者が周辺設備の交換を行なうのに便利とする必要がある。
【考案の開示】
【考案が解決しようとする課題】
【０００５】
　上述の主要な目的は、一種のコンピュータパネルのスロットカバーを提供することにあり、該スロットカバーはスロットカバー正面に延伸された係止条を具え、該係止条の末端が操作に供され、使用者がスロットカバーをパネル正面より着脱するのに便利であるものとする。
【０００６】
　本考案の別の目的は、一種のコンピュータパネルのスロットカバーを提供することにあり、それは操作に供される係止条が湾曲状を呈し、操作時に必要な弾力を提供するものとする。
【０００７】
　本考案のまた別の目的は、一種のコンピュータパネルのスロットカバーを提供することにあり、それは、スロットカバーの別の一側に突出する係止ブロックを具えた凸体とされ、該凸体が半矢頭状を呈してスロットカバーを直接パネルに係止するのに便利であるものとする。
【課題を解決するための手段】
【０００８】
　請求項１の考案は、コンピュータケースの正面に組み付けられ、スロットを具え、並びにスロットの内側壁に相互に対応する凹溝が形成されたパネルと、
　長方形の板体とされ、背面両側に後ろ向きに延伸された係止装置が設けられて該係止装置がパネルの凹溝と相互に係合することによりパネルに位置決めされる少なくとも一つのスロットカバーと、
　を具え、該スロットカバーの少なくとも一つの係止装置が弾性を具備し、且つ末端がスロットカバーの正面に延伸され、上記末端の操作によりスロットカバーがパネル正面より直接着脱可能とされたことを特徴とする、コンピュータパネルのスロットカバーとしている。
　請求項２の考案は、請求項１記載のコンピュータパネルのスロットカバーにおいて、スロットカバーの背面両側より後ろ向きに延伸された係止装置が第１の係止装置と第２の係止装置とされ、該第１の係止装置がスロットカバーの背面側縁より湾曲したＵ形のの係止棒とされ、その末端がスロットカバーの正面に延伸され、該係止棒の外側に半矢頭状の凸体が形成されてパネルの凹溝との係合に供されることを特徴とする、コンピュータパネルのスロットカバーとしている。
　請求項３の考案は、請求項２記載のコンピュータパネルのスロットカバーにおいて、第２の係止装置がスロットカバーの背面の別の一側より後方に延伸され、その外側に半矢頭状の凸体が形成されてパネルの凹溝との係合に供されることを特徴とする、コンピュータパネルのスロットカバーとしている。
【考案の効果】
【０００９】
　本考案は周知のコンピュータパネルのスロットカバーが、着脱に不便である欠点を鑑み、それを改善したものであり、スロットカバーの後側の係止棒を湾曲させ、その末端をスロットカバー正面に延伸し、湾曲した係止棒の発生する弾性を利用し、使用者がスロットカバーをパネルの正面より着脱できるようにし、これによりコンピュータ周辺設備の取り付けと取り外しに便利としている。
【考案を実施するための最良の形態】
【００１０】
　本考案はコンピュータケースの正面パネルのスロットを閉じるのに用いられるスロットカバーにあって、スロットカバーの後側の係止装置がＵ形の湾曲係止棒に形成され、その末端がスロットカバー正面に延伸され、使用者がこの延伸された末端を操作してスロットカバーをパネルの正面より取り外したり取り付けることができ、コンピュータ周辺設備の取り付けと取り出しに便利とされている。
【実施例１】
【００１１】
　図１及び図２に示されるように、本考案はデスクトップ型コンピュータのパネル１０に設置されるスロットカバー２０を改良したものであり、該スロットカバーをパネルの正面で直接着脱できるようにしたものである。
【００１２】
　該パネル１０は少なくとも一つのスロットカバーを収容できるスロット１１を具え、並びにスロット１１の両側壁に凹溝１２が開設されている。
【００１３】
　該スロットカバー２０は長方形の板体とされ、その背面両側に後ろ向きに係止装置２１、２２が延設され、該係止装置２１、２２はパネルの凹溝１２と係合可能であり、スロットカバー２０がスロット１１内に位置決めされ、これは図中、２０’に示されるとおりであり、こうしてスロット１１が封じられる。
【００１４】
　さらに図３、４に示されるように、スロットカバー２０の背面両側に設けられた第１の係止装置２１と第２の係止装置２２は異なるものとされ、第１の係止装置２１はスロットカバーの背面側縁より湾曲しＵ形を呈する係止棒２１１とされ、その末端２１２がスロットカバー２０の正面まで延伸され（図１参照）、使用者による操作に便利とされている。また、係止棒２１１の外側に半矢頭状の凸体２１３が形成され、組合せ時に、パネル１０の凹溝１２と係合する。このほか、第２の係止装置２２はスロットカバー２０の背面の別の一側より後方に延伸され、その外側に半矢頭状の凸体２２１が形成され、組合せ時にパネル１０の凹溝１２と係合する。
【００１５】
　さらに図５から図７の動作図を参照されたい。図５中、スロットカバー２０はパネル１０のスロット１１内に組み合わされ、並びにスロットカバー２０の背面両側の第１の係止装置２１及び第２の係止装置２２はそれぞれスロット側壁の凹溝１２に係合し、スロットカバー２０がパネル１０に組み付けられている。そのうち、第１の係止装置２１の係止棒２１１はＵ形を呈して弾性回復力を提供し、凸体２１３は凹溝１２に係合している。
【００１６】
　使用者がスロットカバー２０を取り外す時は、図６に示されるように、第１の係止装置２１の係止棒２１１の末端２１２を矢印Ｇ１の方向に押し、これによりＵ形の係止棒２１１を変形させ、凸体２１３と凹溝１２の係合を解除させ、これによりスロットカバー２０を矢印Ｇ２の方向に回転させてスロット１１より外せば、第２の係止装置２２と凹溝１２の係合も解除され、パネル１０正面よりスロットカバー２０を取り外すことができる。
【００１７】
　スロットカバー２０をパネル１０に戻す時は、図７に示されるように、スロットカバー２０を矢印Ｇ３の方向にパネル１０に向けて押し、第１の係止装置２１の係止棒２１１をパネル１０の側壁で押圧して変形させ、第１及び第２の係止装置２１、２２の凸体２１３、２２１にスロット１１を通過させ、パネル１０の内側壁と係合させ、図５に示されるように組み付けを完成する。
【００１８】
　以上のスロットカバーの構造により、使用者はスロットカバー２０を簡単に着脱できる。特に、パネル１０をコンピュータケースより取り外すことなく、或いはコンピュータケースを分解することなくスロットカバー２０を着脱できるため、カートリッジ式の周辺設備のコンピュータへの取り付け、取り外しに便利である。
【００１９】
　本考案の図示される実施例は本考案の好ましい実施例に過ぎず、本考案の実施範囲を限定するものではなく、本考案に基づきなしうる細部の修飾或いは改変は、いずれも本考案の請求範囲に属するものとする。
【００２０】
　総合すると、本考案は実用性と新規性、進歩性を具え、実用新案登録の要件を具備している。
【図面の簡単な説明】
【００２１】
【図１】本考案の実施例の分解図である。
【図２】本考案の別角度の分解図である。
【図３】本考案のスロットカバーの拡大背面斜視図である。
【図４】本考案の別角度のスロットカバーの拡大背面斜視図である。
【図５】本考案の動作図である。
【図６】本考案の動作図である。
【図７】本考案の動作図である。
【符号の説明】
【００２２】
１０　パネル
１１　スロット
１２　凹溝
２０　スロットカバー
２１　係止装置
２１１　係止棒
２１２　末端
２１３　凸体
２２　係止装置
２２１　凸体
【図１】
0003100187.tif 000003
【図２】
0003100187.tif 000004
【図３】
0003100187.tif 000005
【図４】
0003100187.tif 000006
【図５】
0003100187.tif 000007
【図６】
0003100187.tif 000008
【図７】
0003100187.tif 000009